(57)【要約】【課題】  多くのポケットを備えたパンツを履いた上に履いたとしても、ポケットに対応する位置のみを開くことが可能となり、もって使い勝手が良好な釣用パンツの提供。【解決手段】  パンツ本体の側部の股下端から股上部にかけて延長したスライドファスナを設けた釣用パンツであって、スライドファスナが、丈方向上側の一個の上スライダと、丈方向下側の一個の下スライダと、上スライダおよび下スライダの間に配置された中間スライダとを備え、スライドファスナの上端部は閉状態を保持されており、上スライダは、上方へ移動させるとスライドファスナのエレメント部が離れ、中間スライダは下方へ移動させるとスライドファスナのエレメント部が離れる構成の釣用パンツ。【選択図】  図４
2014156670.tif 000002
【特許請求の範囲】
【請求項１】
パンツ本体の側部の下部から上部にかけて延長したスライドファスナを設けた釣用パンツであって、スライドファスナが、丈方向上側の上スライダと、丈方向下側の下スライダと、上スライダおよび下スライダの間に配置された中間スライダとを備えたことを特徴とする釣用パンツ。
【請求項２】
スライドファスナの上端部は閉状態を保持されており、上スライダは、上方へ移動させるとスライドファスナのエレメント部が離れ、中間スライダは下方へ移動させるとスライドファスナのエレメント部が離れる請求項１記載の釣用パンツ。
【発明の詳細な説明】
【技術分野】
【０００１】
本発明は、例えば船釣等の際に釣人が履く、釣用パンツに関する。
【背景技術】
【０００２】
この種の釣用パンツとして、下記特許文献１に示すものが提案されている。係る釣用パンツでは、パンツ本体の開閉部の対向部に、スライドファスナの一方のエレメント部、他方のエレメント部がそれぞれ設けられている。また、対向部どうしに跨って水の浸入を抑制する防水体が設けられ、スライドファスナには二個のスライダが設けられている。このような構成により、何れのスライダを用いてもスライドファスナを開閉でき、しかも防水体によって対向部の開口量を大きく設定できるから、釣人に適した履き心地が得られる。
【０００３】
この種の釣用パンツの用い方として、別のパンツを履いてさらにその上に釣用パンツを履く場合がある。この別のパンツには、例えば、膝ポケットや腰ポケットを備えたもの（例えばカーゴパンツ）がある。このようなポケットは、釣用タックルを収納するのに用いられる。
【０００４】
ところで、ベンチレーション（換気）等のために、パンツ本体の側部の股下端である裾口から股上部にかけて延長したスライドファスナを設けた釣用パンツ（例えば船釣の際に履かれる釣用パンツ）があり、このような釣用パンツのスライドファスナに、上記従来の釣用パンツのようにスライダを二個設けることが考えられる。
【０００５】
しかしながら、多くのポケットを備えたパンツを履いた上に釣用パンツを履く場合では、スライダを二個設けたとしても、ポケット（例えば膝ポケット）に対応する領域を開くには、何れかのスライダを、スライドファスナのエレメント部の端部からポケットに相当する領域を含んだ部位まで移動させなければならず、しかもエレメント部の端部から移動させたスライダの位置までの間でエレメント部が全部開いてしまうから、使い勝手が悪い。
【先行技術文献】
【特許文献】
【０００６】
【特許文献１】特開２０００−２２００１１号公報
【発明の概要】
【発明が解決しようとする課題】
【０００７】
そこで本発明は、多くのポケットを備えたパンツを履いた上に履いたとしても、ポケットに対応する位置のみを開くことが可能となり、もって使い勝手が良好な釣用パンツの提供を目的とする。
【課題を解決するための手段】
【０００８】
本発明は、パンツ本体の側部の下部から上部にかけて延長したスライドファスナを設けた釣用パンツであって、スライドファスナが、丈方向上側の上スライダと、丈方向下側の下スライダと、上スライダおよび下スライダの間に配置された中間スライダとを備えたことを特徴としている。
【０００９】
上記構成において、ポケットを膝部や腰部に備えた別のパンツの上に釣用パンツを履いたとしても、上スライダ、下スライダ、中間スライダのうち少なくとも一個のスライダをポケットに対応する領域で操作してスライドファスナを開けば、多くのポケットを備えたパンツを履いた上に釣用パンツを履いたとしても、スライドファスナをその丈方向においてポケットに対応する領域のみで開くことが可能である。
【００１０】
本発明の釣用パンツでは、スライドファスナの上端部は閉状態を保持されており、上スライダは、上方へ移動させるとスライドファスナのエレメント部が離れ、中間スライダは下方へ移動させるとスライドファスナのエレメント部が離れる構成を採用することができる。
【００１１】
上記構成において、上スライダを上方へ移動してスライドファスナの上部を開放すると、例えば腰のポケットを用いることができ、上スライダをスライドファスナの上端部から下方へ移動し、中間スライダを下方へ移動してスライドファスナの丈方向途中部分の領域を開放すると、例えば膝のポケットを用いることができる。
【発明の効果】
【００１２】
本発明の釣用パンツによれば、スライドファスナが、丈方向上側の一個の上スライダと、丈方向下側の一個の下スライダと、上スライダおよび下スライダの間に配置された中間スライダとを備えているから、ポケットを膝部や腰部に備えた別のパンツの上に釣用パンツを履いたとしても、上スライダ、下スライダ、中間スライダのうち少なくとも一個のスライダをポケットに対応する領域で操作してスライドファスナを開けば、多くのポケットを備えたパンツを履いた上に釣用パンツを履いたとしても、スライドファスナをその丈方向においてポケットに対応する領域のみで開くことが可能であるから、使い勝手が良好である。
【図面の簡単な説明】
【００１３】
【図１】本発明の一実施形態を表す釣用パンツの正面図である。
【図２】同側面図である。
【図３】同背面図である。
【図４】同要部拡大側面図である。
【図５】本発明の釣用パンツの下に装着する別のパンツの正面図である。
【図６】同側面図である。
【図７】同背面図である。
【発明を実施するための形態】
【００１４】
以下、図１ないし図７に基づいて、本発明の一実施形態に係る釣用パンツ１を詳細に説明する。釣用パンツ１は、パンツ本体２を備える。パンツ本体２は、装着者の両脚が入る股下部３を備える。股下部３は左右の脚が入るようそれぞれ筒状に形成されている。
【００１５】
パンツ本体２は、股上部４を備える。股上部４は筒状に形成され、装着者の腰部から腹部を覆う前身ごろ５と、装着者の腰部から背部にかけて覆う後身ごろ６と備えている。前身ごろ５および後身ごろ６は、互いに側部で縫着されている。股上部４は胴周りを巻く長さ調節可能な締付ベルト７を備え、締付ベルト７は複数のベルト通し８に挿通される。股上部４は、締付ベルト７の丈方向位置に比べて下側の左右に、腰ポケット９，１０を備える。股上部４はその上縁に、前後に架かかって長さ調節可能な一対の肩ベルト１１，１２を備える。また、股上部４は、前立て１３に開閉自在に覆われるフロントスライドファスナ（図示せず）を備えている。
【００１６】
図４に示すように、釣用パンツ１は、股下部３の下端である裾口１４の側部から股上部４の途中領域（以下「開放可能領域」と称する）１７にかけて、サイドスライドファスナ１５（以下単に「スライドファスナ」と称する）が延長して設けられている。各スライドファスナ１５は、釣用パンツ１の両側部に配置され、ともに浸水防止の横カバー１６によって開閉自在に覆われる。横カバー１６の丈方向下端部は側方に向けて延長されて、横カバー１６を開閉するのに用いる摘部１８が一体的に形成されている。
【００１７】
以下の説明において、一方側（右側）のスライドファスナ１５を含めたその周辺の構成の説明が、他方側（左側）のスライドファスナの構成の説明に兼用される。
【００１８】
図４に示すように、スライドファスナ１５は、丈方向上側の一個の上スライダ１９と、丈方向下側の一個の下スライダ２０と、上スライダ１９および下スライダ２０の間に配置された中間スライダ２１とを備えている。なお、図４は便宜上、丈方向の長さを短く描いているが、前述したように、スライドファスナ１５は、釣用パンツ１の裾口１４の近傍（裾口１４からわずかに丈方向上方部位）から股上部４の途中領域にかけて延長されている。
【００１９】
スライドファスナ１５は、一般のスライドファスナと同様に、一対のテープ部２２と、テープ部２２と略同一の丈方向長さを備えたエレメント部２３と、前記各スライダとを備えている。テープ部２２は、開放可能領域に形成した丈方向に沿う切込２４，２５に沿って、切込２４，２５に縫着されている。すなわち、テープ部２２の上端部は切込２４，２５の終点に縫着されて、スライドファスナ１５の上端部は開放できないように閉状態を保持されている。スライドファスナ１５の上端部は、腰ポケット９，１０の上端に対応する位置の近傍に設定されている。スライドファスナ１５の下端部を含むその他の全領域は開放可能とされている。
【００２０】
上スライダ１９は、上方へ移動させるとエレメント部２３が離れ、下スライダ２０は上方へ移動させるとエレメント部２３が離れ、中間スライダ２１は下方へ移動させるとエレメント部２３が離れるようになっている。この実施形態では、中間スライダ２１は一個だけ設けられている。
【００２１】
パンツ本体２において、切込２４，２５に沿う一方側に面ファスナのフック部２６が縫着されている。フック部２６は複数個設けられ、丈方向に間隔を置いて配置されている。最も下のフック部２６は、裾口１４の近傍に配置されている。横カバー１６の裏面に、フック部２６に着脱自在な複数のループ部２７が縫着されている。ループ部２７はフック部２６に対応する部位に配置されている。したがって、最も下のループ部２７は摘部１８の裏面に配置されている。
【００２２】
ここで、図５ないし図７に基づいて、装着者（釣人）が釣用パンツ１の下に履く別のパンツ３０の一例の概略構成を説明する。パンツ３０は、カーゴパンツ式のものであり、股下のうち膝に相当する部分の横手に膝ポケット３１を備える。また、股上において、腰に相当する部分に腰ポケット３２を備え、尻に相当する部分に尻ポケット３３を備える。
【００２３】
図５ないし図７に示したパンツ３０を装着したうえで釣用パンツ１を装着している場合を想定し、しかもスライドファスナ１５は全領域で閉じているものとする。このような状態で、パンツ３０の膝ポケット３１に収納した物を取り出そうとする場合では、エレメント部２３の丈方向途中部分を大きく開く必要がある。このため、例えば上スライダ１９がスライドファスナ１５の長手方向途中にあるのなら、上スライダ１９を上方に向けて移動し、中間スライダ２１を下方に向けて移動する。そうすると、上スライダ１９と中間スライダ２１の間のエレメント部２３部分を大きく開くことができるから、その開口から膝ポケット３１に収納した物（例えば釣具）を容易に取り出すことができる。あるいは、大きく開いたエレメント部２３の開口から膝ポケット３１に物を収納することができる。そして、下スライダ２０を操作する必要はない。
【００２４】
パンツ３０の腰ポケット３２や尻ポケット３３から物を取り出すには、エレメント部２３の上部を大きく開けることが必要になる。このため、例えば上スライダ１９がスライドファスナ１５の長手方向途中にあるのなら、上スライダ１９のみを上方に向けて移動し、スライドファスナ１５の上部を大きく開ける。開けすぎであれば、中間スライダ２１を上方に移動させて開口を狭める。スライドファスナ１５は、股下部３から股上部４まで延長されているから、腰ポケット３２や尻ポケット３３に対応する領域であっても、対応できる。そして、下スライダ２０を操作する必要はない。
【００２５】
このように、本実施形態のスライドファスナ１５によれば、上スライダ１９、中間スライダ２１を別々に操作移動させることで、ポケットの位置に応じてエレメント部２３を開閉できるから使い勝手および使用感が良好で、しかもスライダを移動させる距離が短いから、エレメント部２３の開閉が非常に楽で、装着者に負担がかからない。
【００２６】
本実施形態では、スライドファスナ１５は下スライダ２０を備えており、スライドファスナ１５の下端部を含むその他の全領域は開放可能である。このため、下スライダ２０を上方に移動させる（中間スライダ２１の位置によってはこれも上方へ移動させる）ことで、裾口１４およびその上側の必要な領域のみを大きく開くことができる。したがって、装着者が用いる靴がブーツ状の靴であっても、その着脱がし易く、使い勝手および使用感が良好である。
【００２７】
また、ポケットの使用に拘ることなく、上スライダ１９、中間スライダ２１、下スライダ２０の何れかを移動させて好みの位置でエレメント部２３を開くことで、ベンチレーションができる。この場合、上スライダ１９、中間スライダ２１、下スライダ２０の何れかを移動させることで、不要な開口を作ることなくベンチレーションができる。
【００２８】
さらに、フック部２６、ループ部２７を合わせることで横カバー１６を閉じることができるから、スライドファスナ１５からの水の浸入を抑制することができる。
【００２９】
本発明は、上記実施形態に限定されず、本発明の主旨を逸脱しない範囲で種々変形が可能である。その他、各部の具体的構成についても上記実施形態に限られるものではない。上記実施形態では、スライダのうち中間スライダ２１は一個だけ設けた例で説明した。しかしながら、上スライダ１９および下スライダ２０の間の中間スライダとして、二個あるいはそれ以上のスライダを配置することも可能である。例えば二個の中間スライダを設けた場合でも、上記と同様の作用効果が得られる。
【００３０】
上記実施形態では、上スライダ１９は、上方へ移動させるとエレメント部２３が離れ、下スライダ２０は上方へ移動させるとエレメント部２３が離れ、中間スライダ２１は下方へ移動させるとエレメント部２３が離れるように構成された例で説明した。しかしながら、上スライダ１９は、下方へ移動させるとエレメント部２３が離れ、中間スライダ２１は上方へ移動させるとエレメント部２３が離れるよう構成してもよい。
【００３１】
さらに、上記実施形態では、釣用パンツ１は、別のパンツ３０が膝ポケット３１、腰ポケット３２、尻ポケット３３を備えた場合で説明した。しかしながら、別な場所、例えば膝ポケット３１および腰ポケット３２の間に別のポケットを備えたパンツ３０や、膝ポケット３１の下側に別のポケットを備えたパンツ３０であっても、上記実施形態と同様の作用効果を奏し得る。但し、本発明の釣用パンツ１は、別のパンツ３０を装着せず、釣用パンツ１のみを装着するような使用も、もちろん可能である。
【００３２】
上記実施形態では、パンツ本体２に裾口１４から切込２４，２５を形成し、スライドファスナ１５は、釣用パンツ１の裾口１４の近傍から股上部４の途中領域にかけて延長した例を示した。しかしながら、場合によっては、切込を裾口１４からではなく、パンツ本体２の丈方向途中部分（例えば装着者の脛に対応する部分）から股上部４の途中領域にかけて延長するよう形成し、この切込にスライドファスナ１５を設けるようにしてもよい。
【符号の説明】
【００３３】
１…釣用パンツ、２…パンツ本体、３…股下部、４…股上部、９，１０…腰ポケット、１４…裾口、１５…スライドファスナ、１６…横カバー、１９…上スライダ、２０…下スライダ、２１…中間スライダ、２２…テープ部、２３…エレメント部、２４，２５…切込
【図１】
2014156670.tif 000003
【図２】
2014156670.tif 000004
【図３】
2014156670.tif 000005
【図４】
2014156670.tif 000006
【図５】
2014156670.tif 000007
【図６】
2014156670.tif 000008
【図７】
2014156670.tif 000009